(57)【要約】【課題】容易にメッセージを読むことができる箸および箸セットを提供する。【解決手段】  第１箸と第２箸とからなる１膳の箸であって、前記第１箸は、後端から先端に向かって判読可能に第１メッセージが表示された第１表示部と、先端から後端に向かって判読可能に前記第１メッセージが表示された第２表示部とを備え、前記第１表示部と前記第２表示部とが互いに反対側の面に設けられており、前記第２箸は、後端から先端に向かって判読可能に第１メッセージと異なる第２メッセージが表示された第３表示部と、先端から後端に向かって判読可能に前記第２メッセージが表示された第４表示部とを備え、前記第３表示部と前記第４表示部とが互いに反対側の面に設けられている。【選択図】図１
0003158618.tif 000002
【実用新案登録請求の範囲】
【請求項１】
第１箸と第２箸とからなる１膳の箸であって、
前記第１箸は、後端から先端に向かって判読可能に第１メッセージが表示された第１表示部と、先端から後端に向かって判読可能に前記第１メッセージが表示された第２表示部とを備え、前記第１表示部と前記第２表示部とが互いに反対側の面に設けられており、
前記第２箸は、後端から先端に向かって判読可能に第１メッセージと異なる第２メッセージが表示された第３表示部と、先端から後端に向かって判読可能に前記第２メッセージが表示された第４表示部とを備え、前記第３表示部と前記第４表示部とが互いに反対側の面に設けられている、箸。
【請求項２】
前記第１箸と前記第２箸とは、少なくとも後端部において長手方向に垂直な断面が略四角形であり、
前記第１表示部と前記第２表示部とが第１箸の断面がなす四角形の対向する辺に対応する面にそれぞれ設けられており、
前記第３表示部と前記第４表示部とが第２箸の断面がなす四角形の対向する辺に対応する面にそれぞれ設けられている、
請求項１記載の箸。
【請求項３】
請求項１記載の箸を複数有する箸セットであって、
１本１本の箸の表示部に表示されるメッセージが全て異なっている、箸セット。
【考案の詳細な説明】
【技術分野】
【０００１】
本考案は、食器に関し、より詳しくは箸および箸セットに関する。
【背景技術】
【０００２】
特許文献１は、箸の上の部分に空洞を設けカプセル状にして所有者が自分の未来への夢のメッセージのメモを入れ、防水の蓋をして、夢の橋渡し効果を期待して食事ができるようにした箸を開示する。
【先行技術文献】
【特許文献】
【０００３】
【特許文献１】特開２０００−３３３８１１号公報
【考案の概要】
【考案が解決しようとする課題】
【０００４】
しかしながら、従来の箸はメッセージを読むためには蓋を開けてメモを取り出さねばならず、メッセージを読むことが困難であるという課題があった。
【０００５】
本考案は上記のような課題を解決するためになされたもので、容易にメッセージを読むことができる箸および箸セットを提供することを目的とする。
【課題を解決するための手段】
【０００６】
上記課題を解決すべく、本考案の箸は、第１箸と第２箸とからなる１膳の箸であって、前記第１箸は、後端から先端に向かって判読可能に第１のメッセージが表示された第１表示部と、先端から後端に向かって判読可能に前記第１のメッセージが表示された第２表示部とを備え、前記第１表示部と前記第２表示部とが互いに反対側の面に設けられており、前記第２箸は、後端から先端に向かって判読可能に第２のメッセージが表示された第３表示部と、先端から後端に向かって判読可能に前記第２のメッセージが表示された第４表示部とを備え、前記第３表示部と前記第４表示部とが互いに反対側の面に設けられている。
【０００７】
かかる構成では、右利きの使用者であっても、左利きの使用者であっても、使用するために箸を持った状態でメッセージを容易に読むことができる。
【０００８】
上記の箸において、前記第１箸と前記第２箸とは、少なくとも後端部において長手方向に垂直な断面が略四角形であり、前記第１表示部と前記第２表示部とが第１箸の断面がなす四角形の対向する辺に対応する面にそれぞれ設けられており、前記第３表示部と前記第４表示部とが第２箸の断面がなす四角形の対向する辺に対応する面にそれぞれ設けられていてもよい。
【０００９】
かかる構成では、それぞれの箸の断面が略四角形であるため転がりにくく、箸を置いた状態においてもメッセージを容易に読むことができる。
【００１０】
また本考案の箸セットは、上記箸を複数有する箸セットであって、１本１本の箸の表示部に表示されるメッセージが全て異なっている。
【００１１】
かかる構成では、１膳をなす２本の箸を適宜に組み合わせることで、１膳の箸により所望のメッセージを表示することができる。
【００１２】
本考案の上記目的、他の目的、特徴、及び利点は、添付図面参照の下、以下の好適な実施態様の詳細な説明から明らかにされる。
【考案の効果】
【００１３】
本考案は、上記のような構成を有し、以下のような効果を奏する。すなわち、容易にメッセージを読むことができる箸および箸セットを提供することができる。
【図面の簡単な説明】
【００１４】
【図１】図１は本考案の第１実施形態に係る箸の概略構成を示す図であって、図１（ａ）は右利きの使用者に対する正面図、図１（ｂ）は左利きの使用者に対する正面図、図１（ｃ）は図１（ａ）および図１（ｂ）におけるＡ−Ａ’断面を矢印方向から見た図である。
【考案を実施するための形態】
【００１５】
以下、本考案の実施の形態を、図面を参照しながら説明する。
【００１６】
（第１実施形態）
図１は本考案の第１実施形態に係る箸の概略構成を示す図であって、図１（ａ）は右利きの使用者に対する正面図、図１（ｂ）は左利きの使用者に対する正面図、図１（ｃ）は図１（ａ）および図１（ｂ）におけるＡ−Ａ’断面を矢印方向から見た図である。
【００１７】
図１（ａ）および図１（ｂ）に示すように、本実施形態の箸１００は、第１箸１１と第２箸１２とからなる１膳の箸であって、第１箸１１は、後端３１から先端３３に向かって判読可能に第１メッセージが表示された第１表示部２１と、先端３３から後端３１に向かって判読可能に前記第１メッセージが表示された第２表示部２２とを備え、第１表示部２１と第２表示部２２とが互いに反対側の面に設けられており、第２箸１２は、後端３２から先端３４に向かって判読可能に第１メッセージと異なる第２メッセージが表示された第３表示部２３と、先端３４から後端３２に向かって判読可能に第２メッセージが表示された第４表示部２４とを備え、第３表示部２３と第４表示部２４とが互いに反対側の面に設けられている。
【００１８】
かかる構成では、右利きの使用者が箸１００を使用する場合には図１（ａ）に示す向きで箸１００が右手で把持されるため、使用者は第１表示部２１および第３表示部２３に表示されたメッセージを容易に読むことができる。また、左利きの使用者が箸１００を使用する場合には図１（ｂ）に示す向きで箸１００が左手で把持されるため、使用者は第２表示部２２および第４表示部２４に表示されたメッセージを容易に読むことができる。よって、右利きの使用者であっても、左利きの使用者であっても、使用するために箸を持った状態でメッセージを容易に読むことができる。
【００１９】
また、第１表示部２１および第２表示部２２に表示された第１メッセージと、第３表示部２３および第４表示部２４に表示された第２メッセージとは、互いに異なっているため、第１メッセージと第２メッセージとを組み合わせることで、より豊かなメッセージを使用者に伝えることができる。
【００２０】
なお、「判読可能に」とは、横書きで左から右に向かって読む通常の日本語表記として判読可能であることを意味する。
【００２１】
「互いに反対側の面」とは、断面が略四角形の場合には、図１（ｃ）に示すように、該四角形の対向する辺に対応する２つの面を指すが、断面が例えば丸の場合には、側面において互いに反対側に位置するように２つの表示部が設けられることを意味する。すなわち箸の断面は四角形には限定されない。また、断面が例えば三角形の場合には、３面のうちの第１の面と第２の面とにそれぞれ表示部が設けられればよい。すなわち、反対側とは必ずしも完全に反対側である必要はなく、同一の箸に設けられた２つの表示部が異なる方向を向いていればよい。
【００２２】
表示部におけるメッセージの表示方法は特に限定されず、刻印やシール印刷、転写フィルムを用いた転写など、周知の表示方法が使用されうる。
【００２３】
メッセージは、ひらがなあるいはカタカナ、感嘆符（！）などで表示されることが好ましい。すなわちメッセージは、漢字およびアルファベット以外の文字を用いた日本語表記であることが好ましい。
【００２４】
かかる構成では、子供であってもメッセージを容易に読むことができる。
【００２５】
箸１００は、図１（ｃ）に示すように、第１箸１１と第２箸１２とが、少なくとも後端部において長手方向に垂直な断面が略四角形であり、第１表示部２１と第２表示部２２とが第１箸１１の断面がなす四角形の対向する辺に対応する面にそれぞれ設けられており、第３表示部２３と第４表示部２４とが第２箸１２の断面がなす四角形の対向する辺に対応する面にそれぞれ設けられているのが好ましい。
【００２６】
かかる構成では、箸１００が転がりにくくなる上、机の上などに置かれて安定状態を取る際、それぞれの箸において一方の表示部を上方を向いて固定することができ、使用者がより容易にメッセージを読むことができる。
【００２７】
なお、「略四角形」とは、角が直角な四角形のみならず、図１（ｃ）のように角が丸みを帯びた四角形をも含むものである。
【００２８】
第１表示部２１と第２表示部２２とは、第１箸１１の後端３１から第１箸１１の長さの４分の１よりも後端３１側（図１（ａ）において右端から１番目の破線と２番目の破線との間、図１（ｂ）において左端から１番目の破線と２番目の破線との間）に設けられ、第３表示部２３と第４表示部２４とは、第２箸１２の後端３２から第２箸１２の長さの４分の１よりも後端３２側（図１（ａ）において右端から１番目の破線と２番目の破線との間、図１（ｂ）において左端から１番目の破線と２番目の破線との間）に設けられていることが好ましい。
【００２９】
かかる構成では、使用者が箸を使用する場合に一般的に箸のやや中央部分を把持するため、表示部に表示されたメッセージが使用者の手で隠れることがなく、使用するために箸を持った状態で使用者がメッセージをより容易に読むことができる。
【００３０】
（第２実施形態）
本実施形態の箸セットは、第１実施形態の箸を複数有する箸セットであって、１本１本の箸の表示部に表示されるメッセージが全て異なっているものである。
【００３１】
かかる構成では、１膳をなす２本の箸を適宜に組み合わせることで、１膳の箸により所望のメッセージを表示することができる。
【００３２】
表１は、本実施形態の箸セットにおいて、それぞれの箸の表示部に表示されているメッセージの内容を示す。本実施形態の箸セットは、１２膳２４本の箸から構成されているが、箸の本数や膳数は特に限定されない。箸セットは奇数本の箸から構成されてもよい。
【００３３】
【表１】
0003158618.tif 000003
【００３４】
表に示すように、例えば、箸番号１の箸と箸番号２の箸とを組み合わせることで、「いつもありがとう」というメッセージを表示することができる。また例えば、箸番号２３の箸と箸番号２の箸とを組み合わせることで、「ほんとうにありがとう」というメッセージを表示することができる。このような組合せは、感謝の気持ちを伝えたい相手へのメッセージとして好ましい。
【００３５】
あるいは、箸番号１５の箸と箸番号１４の箸とを組み合わせることで、「ごくろうさま  いってらっしゃい」というメッセージを表示することができる。また例えば、箸番号１４の箸と箸番号１８の箸とを組み合わせることで、「いってらっしゃい  がんばってね」というメッセージを表示することができる。このような組合せは、朝ごはんを一人で食べる相手へのメッセージとして好ましい。
【００３６】
あるいは、箸番号３の箸と箸番号１６の箸とを組み合わせることで、「おかえりなさい  どうだった？」というメッセージを表示することができる。また例えば、箸番号１の箸と箸番号１５の箸とを組み合わせることで、「いつもごくろうさま」というメッセージを表示することができる。このような組合せは、晩御飯を一人で食べる相手へのメッセージとして好ましい。
【００３７】
あるいは、箸番号５の箸と箸番号４の箸とを組み合わせることで、「おいしいよ  たべてね」というメッセージを表示することができる。また例えば、箸番号７の箸と箸番号６の箸とを組み合わせることで、「きのうは  ハッピー！」というメッセージを表示することができる。このような組合せは、お弁当を食べる相手へのメッセージとして好ましい。
【００３８】
このように、本実施形態の箸セットは、２４種類のメッセージが適宜に組合されるように、１膳をなす２本の箸を適宜に選択することで、所望のメッセージを表示することができる。
【００３９】
箸セットを構成する複数の箸は、単一の色で塗られていてもよいし、互いに異なる色で塗り分けられていても良い。すなわち、箸番号１〜２４の箸のそれぞれについて、単一の色（例えば茶色）で塗られた箸セットとしてもよいし、それぞれ１色ずつ合計２４色２４本の箸からなる箸セットとしてもよい。
【００４０】
かかる構成では、より豊かな色彩の組合せを表現でき、使用者に好適な印象を与えることができる。
【００４１】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００４２】
本考案に係る箸および箸セットは、容易にメッセージを読むことができる箸および箸セットとして有用である。
【符号の説明】
【００４３】
１１  第１箸
１２  第２箸
２１  第１表示部
２２  第２表示部
２３  第３表示部
２４  第４表示部
３１  後端
３２  後端
３３  先端
３４  先端
【図１】
0003158618.tif 000004